(57)【要約】【課題】携帯して持ち運びに便利で、音質効果に優れ、さらにノートパソコンの美観効果を高めるノートパソコン用引掛式スピーカーの固定構造の提供。【解決手段】スピーカー本体１と、ボルト３と、支持体４とによって構成し、前記スピーカー本体１上にはスピーカー１２を設け、その片側には定位溝１１を設け、前記定位溝１１の頂面１１１はスピーカー本体１と同じ高さで、前記定位溝１１の前側壁面内部１１２上にはプラスチックシート２を固定し、後側壁面１１３にはねじ穴１１４を設け、前記支持体４の底面にはねじ穴４１を設け、頂面にはプラスチック片４２を設け、前記ボルト３の凸柱３２はスピーカー本体１片側の定位溝１１の後側壁面１１３にあるねじ穴１１４に螺入させ、前記凸柱３２端部は前記ねじ穴１１４に貫通させ、支持体４のねじ穴４１は前記ボルト３の凸柱３２端部と固定し、支持体４を定位溝１１の後側壁面１１３内部上に定位させる。【選択図】図１
0003104276.tif 000002
【実用新案登録請求の範囲】
【請求項１】
ノートパソコン用引掛式スピーカーの固定構造であって、
スピーカー本体と、ボルトとによって構成されており、
前記スピーカー本体は、片側に定位溝が延びており、前記定位溝の頂面はスピーカー本体と同じ高さであり、さらに前記定位溝の前側壁面内部上にはプラスチックシートが固定されており、後側壁面には少なくとも一つのねじ穴が設けられており、
前記ボルトは、定位溝壁面のねじ穴に螺入されており、それにより端部が定位溝壁面上の前記ねじ穴に貫通しており、さらに前記ボルト端部上には支持体が固定されており、それにより前記支持体が定位溝の後側壁面内部上に定位されており、さらに支持体の頂端表面にはプラスチック片が設けられており、
前記スピーカー本体の定位溝をノートパソコンのモニターの両側上縁に掛け、定位溝頂面とノートパソコンのモニターの両側頂縁をお互いに接触させ、さらにボルトを回転させることによる調整によって、支持体を移動させることにより、ノートパソコンの壁面に支持させ、スピーカー本体を緊密に定位することを特徴とするノートパソコン用引掛式スピーカーの固定構造。
【請求項２】
前記ボルトの断面はＴ字型を呈しており、その端部は回転部を具有しており、前記回転部の表面には防滑溝が設けられており、回転部中央から凸柱が伸びており、前記凸柱上にはねじ山が設けられていることを特徴とする請求項１に記載のノートパソコン用引掛式スピーカーの固定構造。
【請求項３】
前記支持体底面にはねじ穴が設けられており、前記ねじ穴によりボルトと固定されていることを特徴とする請求項１に記載のノートパソコン用引掛式スピーカーの固定構造。
【請求項４】
前記スピーカー本体上のスピーカーは一つまたは二つ以上にすることができることを特徴とする請求項１に記載のノートパソコン用引掛式スピーカーの固定構造。
【請求項５】
前記ボルトは必要に応じて、一つまたは二つ以上にすることができることを特徴とする請求項１に記載のノートパソコン用引掛式スピーカーの固定構造。
【考案の詳細な説明】
【技術分野】
【０００１】
本考案はノートパソコン用引掛式スピーカーの固定構造に係り、特に体積が小さく、携帯に便利で、取り外しが簡単で、各種類のノートパソコンに使用することができるノートパソコン用引掛式スピーカーの固定構造に関わる。
【背景技術】
【０００２】
電子化の時代の到来に伴い、デスクトップ型コンピュータの使用率は、各家庭に普及していると言うことができるほどであり、データの保存以外に、インターネット、視覚情報、映像等を楽しむことができる機能を具有しており、使用者はインターネットを通じてデータを検索したり、オンラインで映像音楽を楽しんだりすることができ、使用者が映像音楽を楽しむとき、主にデスクトップコンピュータにスピーカーを外接し、そのスピーカーによって音声を出力する。
【特許文献１】特開２００３−３２３２３０号公報
【考案の開示】
【考案が解決しようとする課題】
【０００３】
デスクトップコンピュータは、現代人にとってなくてはならないものであると言えるが、デスクトップコンピュータは主にセパレートタイプの本体とモニターによって構成されており、机の上に設置して使用できるだけで、使用者はそれを携帯して持ち運ぶことはできない。この欠点を解決するために、ノートパソコンが世の中に現れ、このノートパソコンは体積が小さく、使用者は携帯して持ち運ぶことができる以外に、いつでもどこでも使用することができ、ノートのように使用できるが、軽くて、薄くて、小さいことに重点が置かれているので、携帯して持ち運べるのだが、スピーカーを外接した場合、スピーカーの体積は非常に大きいために持ち運びが不便になり、無理やりノートパソコン上にスピーカーを外接した場合、スピーカーを設置する場所がないという心配が発生し、この欠点を解決するために、メーカーは通常スピーカー内蔵型の設計にするが、この方法では音質が優れないという欠点が存在する。
【課題を解決するための手段】
【０００４】
このことから分かるように、公知構造のノートパソコンには上述の欠点があり、改良の必要がある。
そのため、本考案のノートパソコン用引掛式スピーカーの固定構造は以下の特徴を有する。
１．  ノートパソコン用引掛式スピーカーの固定構造であって、
スピーカー本体と、ボルトとによって構成されており、
前記スピーカー本体は、片側に定位溝が延びており、前記定位溝の頂面はスピーカー本体と同じ高さであり、さらに前記定位溝の前側壁面内部上にはプラスチックシートが固定されており、後側壁面には少なくとも一つのねじ穴が設けられており、
前記ボルトは、定位溝壁面のねじ穴に螺入されており、それにより端部が定位溝壁面上の前記ねじ穴に貫通しており、さらに前記ボルト端部上には支持体が固定されており、それにより前記支持体が定位溝の後側壁面内部上に定位されており、さらに支持体の頂端表面にはプラスチック片が設けられており、
前記スピーカー本体の定位溝をノートパソコンのモニターの両側上縁に掛け、定位溝頂面とノートパソコンのモニターの両側頂縁をお互いに接触させ、さらにボルトを回転させることによる調整によって、支持体を移動させることにより、ノートパソコンの壁面に支持させ、スピーカー本体を緊密に定位することを特徴とする。
２．  前記ボルトの断面はＴ字型を呈しており、その端部は回転部を具有しており、前記回転部の表面には防滑溝が設けられており、回転部中央から凸柱が伸びており、前記凸柱上にはねじ山が設けられていることを特徴とする。
３．  前記支持体底面にはねじ穴が設けられており、前記ねじ穴によりボルトと固定されていることを特徴とする。
４．  前記スピーカー本体上のスピーカーは一つまたは二つ以上にすることができることを特徴とする。
５．  前記ボルトは必要に応じて、一つまたは二つ以上にすることができることを特徴とする。
【考案の効果】
【０００５】
携帯して持ち運ぶのに便利で、音質効果に優れ、さらにノートパソコンの美観効果を高めるノートパソコン用引掛式スピーカーの固定構造を提供できる。
【考案を実施するための最良の形態】
【０００６】
本考案のノートパソコン用引掛式スピーカーの固定構造は、
スピーカー本体と、ボルトと、支持体とによって構成されており、前記スピーカー本体は、片側に定位溝が延びており、前記定位溝の頂面はスピーカー本体と同じ高さであり、さらに前記定位溝の前側壁面内部上にはプラスチックシートが固定されており、後側壁面には少なくとも一つのねじ穴が設けられており、前記ボルトは、定位溝の後側壁面のねじ穴に螺入されており、それによりその端部は前記ねじ穴に貫通しており、さらに支持体が前記ボルト端部上に固定されており、それにより前記支持体は定位溝の後側壁面内部上に定位されており、さらに支持体の頂端表面にはプラスチック片が設けられており、前記スピーカー本体の定位溝をノートパソコンのモニターの両側上縁に掛け、定位溝頂面とノートパソコンのモニターの両側頂縁をお互いに接触させ、それにより二つのスピーカー本体の高さが同じになり、調整することなく見た目に美しいという効果を得ることができ、さらにボルトの調整によって、ボルト端部の支持体を移動させ、ノートパソコンの壁面に支持させ、それによりノートパソコンの前、後壁面とプラスチックシートおよび支持体のプラスチック片が緊密に接触し、前記スピーカー本体をノートパソコンモニター両側に緊密に定位させることができ、脱落しにくく、さらにボルトの調整が可能という特性によって、前記スピーカー本体を各種のノートパソコンに適用させることができるものである。
【０００７】
本考案はノートパソコンの両側に定位されるので、空間が占拠されることはない。
本考案はボルトで調整できる特性によって、各種形式のノートパソコンに適用できる。
本考案はスピーカー本体をノートパソコンのモニターの両側上縁に掛けることにより、前記二つのスピーカーを目測調整する必要なく、同じ高さにすることができ、前記ノートパソコンに更に優れた美観効果を与えることができる。
本考案のスピーカー本体は体積が小さいので携帯して持ち運ぶのに非常に便利である。
本考案のスピーカー本体のスピーカーは一つ以上にすることができ、優れた音質効果を達成することができる。
【０００８】
図１，２，３、４に示すように、本考案のノートパソコン用引掛式スピーカーの固定構造は、スピーカー本体１と、ボルト３と、支持体４とによって構成されている。
【０００９】
前記スピーカー本体１上には少なくとも一つ以上のスピーカー１２が設置されており、さらにその片側には定位溝１１が伸びており、前記定位溝１１の頂面１１１はスピーカー本体１と同じ高さであり、さらに前記定位溝１１の前側壁面内部１１２上にはプラスチックシート２が固定されており、後側壁面１１３には少なくとも一つのねじ穴１１４が設けられている。
【００１０】
前記ボルト３は、断面がＴ字型になっており、その端部は回転部３１を具有しており、前記回転部３１表面には防滑溝３１１が設けられており、使用者が手で回転させるのに便利になっており、回転部３１中央から凸柱３２が伸びており、前記凸柱３２上にはねじ山３２１が設けられている。
【００１１】
前記支持体４の底面にはねじ穴４１が設けられており、頂面にはプラスチック片４２が設けられている。
【００１２】
前記ボルト３の凸柱３２はスピーカー本体１片側の定位溝１１における後側壁面１１３のねじ穴１１４に螺入されており、前記凸柱３２端部は前記ねじ穴１１４に貫通しており、さらに支持体４のねじ穴４１は前記ボルト３の凸柱３２端部と固定されており、それにより支持体４は定位溝１１の後側壁面１１３内部上に定位されている。
【００１３】
図５，６は、本考案の実施例を示すものであり、スピーカー本体１の定位溝１１をノートパソコン５のモニター５１両側上縁５１１に掛け、定位溝１１の頂面１１１部位とノートパソコン５のモニター５１上縁５１１と接触させることで、前記二つのスピーカー本体は高さを調整する必要なく、同じ高さにすることができ、前記ボルト３はノートパソコン５の後側壁面に設置されているので、美観を損なわず、さらに前記ボルト３の凸柱３２を回転させ、ボルト３端部の支持体４を前に移動させ、ノートパソコン５のモニター５１の後側壁面に緊密に支持させ、ノートパソコン５の前、後壁面は全て定位溝１１の前、後側壁面１１２，１１３のプラスチックシート２および支持体４のプラスチック片４２と緊密に接触し、前記プラスチックシート２およびプラスチック片４２はノートパソコン５壁面が傷つくのを防ぐ以外に、スピーカー本体１をノートパソコン５のモニター５１両側にしっかり固定する効果を具有しており、スピーカー本体１が容易に動いたり、脱落したりすることはない。
【００１４】
図７，８は本考案のもう一つの実施例を示すものであり、前記スピーカー本体１上には二つ、または二つ以上のスピーカーを設置することができ、それにより音質効果を高め、さらにノートパソコン５全体の美観効果を高めることでき、前記ボルト３もまた必要に応じて二つ、または二つ以上にすることができ、それによりノートパソコン５に設置した場合、スピーカー本体１を緊密に定位することができ、本考案において、前記スピーカー本体１のスピーカー１２の数およびボルト３の数には制限がなく、スピーカー本体１の片側に定位溝１１を伸ばし、さらにボルト３によって定位調整する方式が本考案の申請範囲に含まれるのである。
【００１５】
本考案の進歩性と実用性を明らかにするために、公知構造のものとの比較を下記に示す。
【００１６】
公知構造の欠点。
１  公知構造のノートパソコンのスピーカーは内蔵式であり、音質が優れない。
２  公知構造の外接式のスピーカーは体積が大きく、持ち運びに不便である。
３  公知構造のスピーカーをノートパソコンに外接した場合、スピーカーの置き場所がないという心配がある。
【００１７】
本考案の優れている点。
１  本考案はノートパソコンの両側に定位されるので、空間が占拠されることはない。
２  本考案はボルトで調整できる特性によって、各種形式のノートパソコンに適用できる。
３  本考案はスピーカー本体をノートパソコンのモニターの両側上縁に掛けることにより、前記二つのスピーカーを目測調整する必要なく、同じ高さにすることができ、前記ノートパソコンに更に優れた美観効果を与えることができる。
４  本考案のスピーカー本体は体積が小さいので携帯して持ち運ぶのに非常に便利
である。
５  本考案のスピーカー本体のスピーカーは一つ又は二つ以上にすることができ、優れた音質効果を達成することができる。
【００１８】
上述のように、本考案は今までの技術構造を打ち破り、確実に欲する効果を達成したものであり、この技術に熟知しない者でも容易に考えの及ぶものであり、本考案は申請前において未だ公開されておらず、本考案が具有するところの進歩性、実用性は明らかに実用新案申請の要件に符合するものであり、法に基づき実用新案登録申請をする。
【００１９】
前述の内容はただ本考案の比較的好適な実施例を示すものであり、本考案の範囲を制限するものではなく、ゆえに本考案の説明書および図示内容による同等効果の構造を運用したもの、直接的、または間接的にその他の関連する技術領域を運用したものも全て本考案の範囲に含まれる。
【図面の簡単な説明】
【００２０】
【図１】本考案によるノートパソコン用引掛式スピーカーの固定構造の分解図である。
【図２】本考案によるノートパソコン用引掛式スピーカーの固定構造の正面立体図である。
【図３】本考案によるノートパソコン用引掛式スピーカーの固定構造の断面図である。
【図４】本考案によるノートパソコン用引掛式スピーカーの固定構造の背面図である。
【図５】本考案によるノートパソコン用引掛式スピーカーの固定構造の正面実施図である。
【図６】本考案によるノートパソコン用引掛式スピーカーの固定構造の背面実施図である。
【図７】本考案によるノートパソコン用引掛式スピーカーの固定構造のもう一つの形式を示す図である。
【図８】図７における正面実施図である。
【符号の説明】
【００２１】
１      スピーカー本体
１１    定位溝
１１１  頂面
１１２  前側壁面
１１３  後側壁面
１１４  ねじ穴
１２    スピーカー
２      プラスチックシート
３      ボルト
３１    回転部
３１１  防滑溝
３２    凸柱
３２１  ねじ山
４      支持体
４１    ねじ穴
４２    プラスチック片
５      ノートパソコン
５１    モニター
５１１  上縁
【図１】
0003104276.tif 000003
【図２】
0003104276.tif 000004
【図３】
0003104276.tif 000005
【図４】
0003104276.tif 000006
【図５】
0003104276.tif 000007
【図６】
0003104276.tif 000008
【図７】
0003104276.tif 000009
【図８】
0003104276.tif 000010